(57)【特許請求の範囲】
【請求項１】
非熱融着繊維と熱融着繊維を含む一層の不織布からなる広告用ポップ板基材であって、該不織布の少なくとも一方の表層部分が、内層部分より密度が高く、硬くなっていること、及び全体の目付が３００〜２０００ｇ／ｍ２ 、全体の厚さが２〜３０ｍｍ、全体の密度が０．０１〜０．３ｇ／ｃｍ３ であることを特徴とする広告用ポップ板基材。
【請求項２】
全体にポリエステル系繊維からなるものであって、非熱融着繊維が中空繊維を含む請求項１の広告用ポップ板基材。
【請求項３】
前記表層部分の厚さが0.５〜５ｍｍで、前記表層部分の密度が内層部分の密度の1.２〜１０倍である請求項１又は２の広告用ポップ板基材。
【発明の詳細な説明】
【０００１】
【発明の属する技術分野】
本発明は、熱融着繊維を含む不織布からなる広告用ポップ板基材に関する。
【０００２】
【従来の技術】
従来、ポスターを貼る掲示板やＣＤ店に展示している広告用ポップ（ＰＯＰ）板等としては、ポリスチレン発泡体からなるボードやベニヤ板が使用されている。
【０００３】
ポリスチレン発泡体からなるボードは、主に広告用ＰＯＰ板等に多く使用されているものの、リサイクル不可能という問題があり、将来の省資源化に適していない。
【０００４】
次に、ベニヤ板は選挙用ポスターの掲示板として多く使用されているが、木材を原材料としているため、ポリスチレン発泡系ボードと比較して密度が高くなるため、重く持ち運びが困難であるだけでなく、作業時に木材の繊維状部分が皮膚に刺さるなど、取り扱いに不便であった。
【０００５】
なお、最近、不織布を掲示板に使用することが提案されている（特開平７−２４８７３６号公報参照）が、この掲示板は、押しピンや画鋲の差し抜き性が良好なものとするため、繊維縮合体を二層以上積層したものであり、押しピンの跡を目立たないようにするためには、これらの上に更に不織布を積層するとしている。かかる掲示板は、経済的にも、また製造時の作業性にも問題があった。
【０００６】
【発明が解決しようとする課題】
本発明は、一層の不織布からなるものであっても、ポスター等を安定して糊等で貼り付け可能とするボード基材すなわち広告用ポップ板基材を提供することを課題とする。
【０００７】
【課題を解決するための手段】
本発明では、熱融着繊維を含む不織布で、その少なくとも一方の表層部分を、内層部分より密度が高く、硬くなるようにしたものを使用することにより前記課題を解決した。
【０００８】
なお、この不織布は、物理的及び化学的安定性および廃物処理（再生利用可能性）等の点から、全体にポリエステル系繊維からなるものとするのが好ましく、非熱融着繊維は、通常の中実繊維であってもよいが、少なくとも一部に中空繊維を含むのが、広告用ポップ板基材の剛性等の点から好ましい。
【０００９】
また、熱融着繊維としては、熱処理によって、その表面の一部又は全部が溶融して、他の繊維を強固に融着し、不織布の構造を安定化するものであればよく、通常、数十〜百数十℃の温度で溶融（軟化）する素材からなるものを使用するが、このような素材を繊維の一部に含む複合繊維、特に、共重合ポリエチレンテレフタレートを融着成分として表面に有する芯鞘型の熱溶融繊維を使用するのが好ましい。
【００１０】
かかる本発明のボード基材は、例えば通常のポリエステル系短繊維と熱融着性を有するポリエステル系短繊維を原料とし、これらをカード機を通してウエブとして積層し、クロスレイヤー後に加熱処理を施して不織布（平板状）を作成するという工程において、前記加熱処理ゾーンの出口で、ローラで不織布を圧縮し、片面もしくは両面を平滑化するという方法で製造できる。すなわち、不織布に熱融着繊維が混綿されているため、その不織布表層部分における接着性を高め、該表層部分の密度を、内層部分より高くし、表面を平滑なものとして、ポスター等を糊で貼り付け可能とするのである。
【００１１】
本発明のボード基材は、表層部分の厚さが0.５〜５ｍｍで、表層部分の密度が内層部分の密度の1.２〜１０倍、特に1.３〜３倍程度であるのが好ましい。本発明のボード基材は、表層部分の密度を高めたものであるため、全体の密度が0.０１〜0.３ｇ／ｃｍ3 、特に0.０５〜0.２ｇ／ｃｍ3 というように非常に軽量なものであっても、安定して使用できるものであり、非常に使用し易いものとなる。なお、全体の目付は３００〜２０００ｇ／ｍ2 程度で、全体の厚さは２〜３０ｍｍ程度のものが実用的である。なお、密度の高い表層部分と密度の低い内層部分の厚さの比率は、１：１〜３０程度であるのが好ましい。
【００１２】
かかるボード基材は、一枚の不織布からなるものとして、そのまま広告用ポップ板に使用されることもできるが、木や金属性の枠体に固定されたり、また、表面が板状である他の支持体に積層して使用されてもよい。
【００１３】
【発明の実施の形態】
本発明の実施例を次に示す。なお、実施例において％とあるのは、特に断らない限り、重量％を示す。
実施例１
カネボウ合繊（株）製のポリエチレンテレフタレート（ＰＥＴ）短繊維Ｈ３１０（１４ｄｔｅｘ×５１ｍｍ−中実繊維−）を５０％、熱融着繊維としてユニチカファイバー（株）製の共重合ＰＥＴ短繊維４０８０（2.２ｄｔｅｘ×５１ｍｍ）５０％を開繊、混綿し、カード機、クロスレイヤー処理を行った。引き続き、試料の両面側から１４０〜２００℃加熱処理し、更に加熱処理ゾーン出口にて、ローラで不織布を圧縮し、トータル目付７００ｇ／ｍ２ 、トータル厚さ７ｍｍの不織布片面が平滑状である短繊維不織布を得た。この不織布は、平滑状である表層部分は目付１５０ｇ／ｍ２ 、厚さ１ｍｍ、密度0.１５ｇ／ｃｍ３ であるのに対し、内層部分は目付５５０ｇ／ｍ２ 、厚さ６ｍｍ、密度0.０９ｇ／ｃｍ３ であった（かかる物性は、不織布をローラ処理で平滑化し、硬くなった部分を表層部分として１ｍｍ厚にスライスし、残りの６ｍｍ厚の層を内層部分として測定したものである）。これを１０００ｍｍ×１０００ｍｍにカットした後、ポスター等を貼り付けるための広告用ポップ板基材として使用した。
【００１４】
実施例２
実施例１のカネボウ合繊（株）製のポリエチレンテレフタレート（ＰＥＴ）短繊維Ｈ３１０の代わりに、カネボウ合繊（株）製のポリエチレンテレフタレート（ＰＥＴ）短繊維Ｈ５８８（１４ｄｔｅｘ×５１ｍｍ−中空繊維−）を使用した以外は、実施例１と同様の方法を実施した。
【００１５】
実施例１及び２で得られたいずれのボード基材も、安定してポスター等の糊での貼り付けが可能であった。特に、非熱融着繊維として中空繊維を使用した実施例２のボード基材は、剛性があり、一層の不織布状で、そのまま使用しても広告用ポップ板として利用価値あるものであった。
【００１６】
【発明の効果】
本発明の広告用ポップ板基材は、一層の不織布を基材として使用できるため、製造及び使用いずれの面においても、非常に扱い易い。また、該不織布は、ポリエステル系繊維を主体とするため、リサイクル可能であり、将来の省資源化に適している。更に、非常に軽量で、表面が平滑であるため、外観に優れ、ポスター等を糊で貼り付け易いものとなる。なお、本発明のボード基材は、比較的密度が高く、硬質である表層部分に続いて、繊維が比較的自由に絡み合った内層部分が存在するため、押しピンや画鋲も、その先端が、安定して表層部分を通り、内層部分で保持されるものとなり、着脱が容易でありながら、ポスター等の貼り付けを確実なものとする。